(57)【要約】【目的】所定量の日光と水分が与えられると活性化し、不足すると休眠する特殊な苔を持ち運び自在とするポータブル苔グッズを提供する。【構成】ケースとして本体部２とふた３を有するＣＤケースを利用し、本体部２のＣＤ収容凹部１２内へ苔保持体２０を収容する。苔保持体２０は基板２１上へ扇形をなす苔ブロック２３を周方向へ並べて接着固定したものであり、本体部２にはスポイト８を設ける。ふた３を閉じると内部が保湿され、かつふた３側を覆って日光を遮断すると苔を休眠させる。したがって、ふたを３を閉じて苔を休眠させた状態で持ち運び自在となり、かつ好きな場所で好きな時間にふた３を開いて苔を活性化させ、その変化等を観察して楽しむことができる。【選択図】図１
2004236601.tif 000002
【特許請求の範囲】
【請求項１】
所定量の日光と水分が与えられると活性化し、不足すると休眠する苔を板状の基板上に固定した苔保持体と、
この苔保持体を収容する本体部とこれを開閉するふたを備え、このふたを閉じたとき密閉して内部を保湿するとともに、少なくとも苔に対面する部分を透明にした携帯用ケースと、
苔を遮光して休眠状態にする日光遮蔽手段とをそなえたことを特徴とするポータブル苔グッズ。
【請求項２】
前記ケース内に苔を拡大して見るためのレンズを備えることを特徴とする請求項１のポータブル苔グッズ。
【請求項３】
前記ケース内にスポイトを備えることを特徴とする請求項１のポータブル苔グッズ。
【請求項４】
前記苔保持体は、複数に分割された形状の苔ブロックを前記基板上に固定したものであることを特徴とする請求項１のポータブル苔グッズ。
【請求項５】
前記ケースがＣＤケースであることを特徴とする請求項１のポータブル苔グッズ。
【請求項６】
前記苔保持体はＣＤと同様サイズの円板状をなし、前記ケースのＣＤ収容凹部内に収容されることを特徴とする請求項５のポータブル苔グッズ。
【請求項７】
前記日光遮蔽手段は前記ケースを覆う不透明又は着色包装フィルムであることを特徴とする請求項５のポータブル苔グッズ。
【請求項８】
前記日光遮蔽手段はＣＤであることを特徴とする請求項５のポータブル苔グッズ。
【発明の詳細な説明】
【０００１】
【発明の属する技術分野】
この発明は、特殊な苔を携帯可能にして随時持ち運べるようにしたものに関する。
【０００２】
【従来の技術】
近年、植物でコンクリート面等を覆うことにより緑化させることが行われている。また苔を群生させた苔シートを形成することも知られている。さらに、この苔シートを、所定量の日光と水分が与えられると活性化し、不足すると休眠状態（仮死状態を含む）になる特殊な苔で形成することも知られている。
【０００３】
【特許文献１】特開平８−１３４９４１号公報
【特許文献２】特開平４−７０１２６号公報
【特許文献３】特開２００２−１８６３５０号公報
【特許文献４】特開２０００−４３９６７号公報
【０００４】
【発明が解決しようとする課題】
ところで、上記特殊な苔は、日光と水分をコントロールすることにより、休眠させたり、急激に活性化させることができ、この活性化は目に見える急速な花が開くような変化を示す。したがって予め休眠させて持ち運び、好きなときに好きな場所で活性化させてその変化を観察できれば、ペットのように植物との共生を楽しみ心を和ませることができる。また活性化させて室内等に置けば、緑の豊かな心の和む空間を形成できる。すなわち、いやし効果があり、いやし系グッズとして有効である。
【０００５】
このような利用をするためには、苔を休眠状態として比較的小さなケースへ収容し、ポケットやバッグ等へ入れて持ち運び、随時かつ任意の場所で取り出して水分や日光を与えて活性化し、その状態を観察できるようにする必要がある。しかしながら、現在のところこのような苔を携帯可能にするものは知られていない。そこで本願発明は、この特殊な苔を特殊な容器に入れて、携帯性や好きな場所及び時間で容易に活性化できるようにしたポータブル苔グッズの提供を目的とする。
【０００６】
【課題を解決するための手段】
上記課題を解決するため本願発明のポータブル苔グッズに係る請求項１は、所定量の日光と水分が与えられると活性化し、不足すると休眠する苔を板状の基板上に固定した苔保持体と、この苔保持体を収容する本体部とこれを開閉するふたを備え、このふたを閉じたとき密閉して内部を保湿するとともに、少なくとも苔に対面する部分を透明にした携帯用ケースと、苔を遮光して休眠状態にする日光遮蔽手段とをそなえたことを特徴とする。
【０００７】
請求項２は、上記請求項１において、前記ケース内に苔を拡大して見るためのレンズを備えることを特徴とする。
【０００８】
請求項３は、上記請求項１において、前記ケース内にスポイトを備えることを特徴とする。
【０００９】
請求項４は、上記請求項１において、前記苔保持体は、複数に分割された形状の苔ブロックを前記基板上に固定したものであることを特徴とする。
【００１０】
請求項５は、上記請求項１において、前記ケースがＣＤケースであることを特徴とする。
【００１１】
請求項６は、上記請求項５において、前記苔保持体はＣＤと同様サイズの円板状をなし、前記ケースのＣＤ収容凹部内に収容されることを特徴とする。
【００１２】
請求項７は、上記請求項５において、前記日光遮蔽手段は前記ケース全体を覆う不透明な着色包装フィルムであることを特徴とする。
【００１３】
請求項８は、上記請求項５において、前記日光遮蔽手段はＣＤであることを特徴とする。
【００１４】
【発明の効果】
請求項１によれば、上記特殊な苔を基板上に固定して板状の苔保持体としたので、全体に日光や水分を与え易く、活性化や生育状態を観察することが容易になる。また、この苔保持体を携帯可能なケース内へ収容することにより持ち運びが可能になる。そのうち、ケースは苔に対面する部分が透明であるから、この透明部から活性化及び生長に十分な日光を苔に当てることができる。
【００１５】
また、開閉自在のふたを有するので、ふたを開けば苔保持体の出し入れが可能であり、かつ給水ができる。ふたを閉じれば、内部を所定保湿状態に密閉できるので、内部を保湿し、水洩れを防ぐことができる。
【００１６】
さらに、日光遮蔽手段により苔に対して日光を遮断すると、苔を休眠させて持ち運びできる。また、随時に日光遮蔽手段を除いて苔に日光を当てると活性化させることができる。したがって、好みの時間及び好みの場所で苔を活性化してその状態を観察でき、観察者にいやし効果を与えることができる。
【００１７】
請求項２によれば、ケース内へレンズを備えたので、このレンズにより、苔の活性化する状態等を拡大して詳細に観察できる。
【００１８】
請求項３によれば、ケース内にスポイトを備えたので、このスポイトにより随時かつ好きな場所で苔に給水することができる。
【００１９】
請求項４によれば、苔保持体の苔を複数の苔ブロックに分割したので、苔保持体を形成するとき、比較的大きな規格サイズの市販シートからカットする場合の歩留まりが向上する。特に苔保持体を円板状にする場合には、苔ブロックを円周方向へ１／３又は１／４等に分割した小さな扇形にすることにより、歩留まりを良くすることができる。
【００２０】
請求項５によれば、ケースをＣＤケース又はこれと同様のものにすることにより、ＣＤを持ち運ぶときと同じ携帯性に優れ、かつ入手を容易にすることができる。また、ＣＤと一緒に持ち運ぶこともできる。
【００２１】
請求項６によれば、苔保持体をＣＤサイズの円板状にすることにより、ケースのＣＤ収容凹部内へＣＤと同様に収容できる。このとき、ＣＤ収容凹部の深さが十分であれば、ＣＤと苔保持体を一緒に収容することもできる。
【００２２】
請求項７によれば、ＣＤケースを覆う包装フィルムを不透明又は着色することにより、この包装フィルムが日光を遮断するので、日光遮蔽手段として利用できる。この場合、包装フィルムで覆うときは、苔が休眠状態となるので、この状態で流通させることができる。包装フィルムを取り去ると日光が苔に当たるので、これを活性化させることができる。
【００２３】
請求項８によれば、ＣＤを直接苔の上に乗せるか、ケースの外側へ置いて苔を覆うことにより、日光を遮断させることができる。したがってＣＤを日光遮蔽手段として利用できる。
【００２４】
【発明の実施の形態】
以下、図面に基づいて実施形態を説明する。図１〜図６は第１実施例に係るＣＤケースを利用した例であり、図１は本実施例に係るポータブル苔グッズの構成各部を分解して示す斜視図、図２はケース全体の斜視図、図３は収納状態の要部拡大断面図、図４は生育時のケース使用状態を示す斜視図、図５は苔保持体の使用例を示す斜視図、図６はその要部に関する拡大断面図である。
【００２５】
図２に示すように、このポータブル苔グッズ１は、苔を収容するためのケースとしてＣＤケースを利用したものであり、このケースは図示状態で上方へ開口する本体部２と、この開口部を開閉自在に覆うふた３を備える。ふた３は本体部２と共に比較的硬質の透明樹脂からなる。但し、本体部２とは異なる材料であってもよい。本体部２は着色等不透明なものであってもよい。このような樹脂は公知のものを適宜使用できる。
【００２６】
ふた３の一部には一体に突出するヒンジ部４を設け、このヒンジ部４を本体部２へ連結することにより開閉自在になっている。この連結構造は、ヒンジ部４の一部にケース内方へ突出して一体形成されたヒンジ突起５を本体部２の一側に一段高く形成された取付部６の両側に設けた軸穴７（図１）へ嵌合することより構成されている。
【００２７】
取付部６の中央部にはスポイト８が着脱自在に取付けられている。ケースの周囲には仮想線で示す包装フィルム９で覆われて出荷され流通に置かれる。包装フィルム９は公知の適宜な樹脂製であり、包装フィルム９自体又は印刷等により不透明又は着色され、日光を通さないようになっている。この日光遮断部分は、少なくともケースの日光を通す透明部分、すなわち、本体部２の周囲やふた３を覆う部分とする。また、包装フィルム９は密封され、水分の蒸発を防ぐようになっている。また、外部からの水分の進入を防ぐことにもなる。
【００２８】
図１に示すように、本体部２は取付部６から一段低くされた部分は底部１０をなし、ここにＣＤ１１を収容する円形のＣＤ収容凹部１２が設けられている。
なお底部１０は本体部２の中に挿入された別体の中敷で構成されている。ＣＤ収容凹部１２の周囲のうち一部が切り欠き部１５をなし、ＣＤ１１に指が掛かり易くなっている。
【００２９】
ＣＤ収容凹部１２の中央には小さな円形の固定リング１３が突出形成され、ＣＤの中央に形成された穴へ密に嵌合することによりＣＤを固定するようになっている。固定リング１３には弾性変形を可能にするスリット１４が形成されている。
【００３０】
取付部６にはスポイト８を収容する凹部１６が取付部６の辺に沿って長く形成され、その長手方向端部をなす内壁１６ａに小さな環状壁１７が一体に突出形成されている。この環状壁１７には、スポイト８の注入口１８が嵌合することにより固定され、かつ注入口１８を塞いで水洩れを防でぐようになっている。
【００３１】
スポイト８は弾性変形容易な比較的軟質の樹脂材料よりなり、本体部は角筒状をなし、凹部１６へ収容したとき、取付部６と連続一体の外観をなすように形成されている。注入口１８は凹部１６の一体に首状をなして突出形成され、ここから水を吸引し、かつ凹部１６の本体を押すことにより、水を押し出すことができる。１９は凹部１６の周囲に形成されたヒダ状部分であり、凹部１６を長さ方向に伸縮自在とし、凹部１６へ収容したとき縮んで固定状態を確実にする。
【００３２】
ＣＤ収容凹部１２には、ＣＤ１１に代えて苔保持体２０が収容される。苔保持体２０は、ＣＤ１１と略同サイズの円板状をなす基板２１上に中央の固定穴２２を囲んで苔ブロック２３を接着等により固定したものである。基板２１は樹脂、金属又は木材や紙などの比較的剛性のある適宜材料よりなる。
【００３３】
苔ブロック２３は、基板２１を周方向へ略１／４分割したサイズに相当する扇形をなし、これを周方向へ４個並べると、基板２１と略同じ円形をなすようになっている。苔ブロック２３は布等の基材層２４上に苔２５を密に植えて層状にしたものであり、基材層２４を適当な接着剤等で基板２１へ容易に接着固定できる。
【００３４】
苔２５は所定量の日光と水分が与えられると活性化し、不足すると仮死状態になって休眠する苔であり、例えば、すな苔とはい苔を混合したものが知られている。このような苔シートの市販品としては有限会社モスキャッチシステムサービス製の商品名モスキャッチがある。
【００３５】
このような苔ブロック２３は、市販される比較的大きな規格サイズである１つの市販苔シートから複数個を所定形状にカットして得られる。このとき歩留まりのよくなるようにカットする。なお、苔ブロック２３は１／４円弧状に分割するばかりでなく、１／２や１／３円弧等、必要により任意の数に分割できる。
【００３６】
苔ブロック２３は、円形にしたとき、その内周部２６に固定穴２２と同心状でかつ若干大きな穴２７を形成するようになっている。この穴２７にはレンズ２８が嵌合される。
【００３７】
図３は苔保持体２０をＣＤ収容凹部１２へ収納した状態を示し、レンズ２８が穴２７内へ嵌合する。レンズ２８は樹脂又はガラス製の凸レンズであり、その下面は固定リング１３の頂部に形成された凹面に乗り、上面の最上部は苔保持体２０の上面と面一になっている。なお、基板２１の固定穴２２は固定リング１３に苔保持体２０全体がＣＤ収容凹部１２内で安定に嵌合して固定されている。
【００３８】
次に、作用を説明する。まず、出荷時には図２に示すように、苔２５が密生した苔保持体２０を構成し、本体部２のふた３を開いてＣＤ収容凹部１２内へ収容固定し、ふた３を閉じてから周囲を包装フィルム９にて密封する。これにより、日光が遮断されるため、苔２５は休眠状態になる。
【００３９】
この状態で出荷し、流通に置かれると、苔２５は長期間休眠状態を維持して持ち運びすることができる。このとき、本体部２内はふた３を閉じて密閉することにより、ある程度の保湿性がともたれる。そのうえ包装フィルム９によりさらに全体を密封するから、より一層保湿性を高め、かつ本体部２内からの水洩れや苔保持体２０から脱落した苔２５の飛散を防ぐことができる。
【００４０】
なお、本体部２がＣＤケースであるため、ＣＤ１１を一緒にして販売することもできる。この場合、本体部２がＣＤ１枚用の場合は本体部２の中へ入れることはできないので、本体部２の表面へ重ねる等して一体化する。また、本体部２がＣＤ１１を２枚以上収納できる場合には、図４に仮想線で示すように苔保持体２０の上へ重ねる等して一体化できる。
【００４１】
なお、ＣＤ１１を一体化する場合は、図４に示すように苔保持体２０の上に直接重ねるか、又はふた３の上に重ねることにより、日光を遮断できるので、ＣＤ１１を日光遮蔽手段として利用することもできる。しかも、苔保持体２０上へ直接置けば、ＣＤ１１のクッションとして苔保持体２０を利用できる。
【００４２】
この苔グッズを購入した人は、包装フィルム９を破り、ふた３を開いてスポイト８により苔保持体２０の表面に散水して苔２５へ給水し、かつ十分な量の日光を浴びせることにより、苔２５が急速に活性化し、花が開くかのように鮮やかに目に見えた変化をする。
【００４３】
そこで図４に示すように、ふた３を限界まで開き、テーブルなどの支持部材上へ置けばスタンドとなり、本体部２が斜め状態に支持される。この状態では苔保持体２０の表面は全面で日光を均一化して受けることができる。
【００４４】
このため、苔２５は元気に生長するため、グリーンディスプレイとして室内装飾等で楽しむことができる。また、随時にレンズ２８を取り出して苔２５を拡大して急速な生長過程等を詳細に観察して楽しむことができる。
【００４５】
次に、このポータブル苔グッズ１を持ち運ぶときは、ふた３を閉じてポータブル苔グッズ１をポケットやバッグ等の容器状物へ入れて持ち運ぶことができる。この状態では、日光が遮断されるので、苔２５は休眠状態となり、この休眠状態のまま持ち運ぶことができる。
【００４６】
しかも、ふた３を閉じることにより、ケースの内部は適度に保湿され、かつある程度の密閉状態となるから、水洩れや、分離した苔２５の散逸を防止できる。また、ポケットやバッグ等へ入れて持ち運ばないときは、ふた３を包装したり、ふた３の裏側にカードを差し込んだり、紙などの不透明な部材を重ねて日光を遮断する。
【００４７】
このようにして持ち運んだポータブル苔グッズ１は、好きな場所で好きなときに苔保持体２０へ日光を当て、表面に散水すれば休眠状態から活性化し、急速に開くので、この状態を見て楽しむことができ、いやし系グッズとして利用できる。
【００４８】
図５，６は苔保持体２０の利用形態を示すであり、図５に示すように、多数の苔保持体２０をそれぞれ長尺の棒状部材３０の先端に取付け、下端をテーブル３１の穴３２に入れて配置すれば、苔保持体２０を盛花状にしたディスプレイとすることができる。符号３３は天板のガラスであり、その中央に形成された穴３２の周囲にも同心円状に苔保持体２０を設けた根元飾り３４が設けられている。
【００４９】
図６は苔保持体２０の取付構造を拡大して示す図であり、棒状部材３０の先端に形成されたネジ部３５を固定穴２２へ通し、その裏側から段付ワッシャ３６、上側から弾性体３７を介してワッシャ３８で挟み、ナット３９及び袋ナット４０で固定したものである。
【００５０】
図７〜図９に苔保持体に変更を加えた第２実施例を示す。図７は苔保持体を分解して示す斜視図、図８は支持台の斜視図、図９は支持台の断面図である。
この苔保持体４０は略正方形のカットされた平面状の苔ブロック４１を曲面形状の支持台４２に取付けて一体化したものである。この支持台４２は図９に示す断面に明らかなように、上面が曲面をなし、その中央部は苔ブロック４１に対応する大きさの凹部４３をなし、その底部４４上で苔ブロック４１を支持するようになっている。支持台４２の裏面周囲は本体部２へ直接乗る脚部４５をなし、その４隅等にゴム等のクッション４６を取付けてある。
【００５１】
支持台４２は本体部２に嵌合されて底部１０をなす中敷き（図１、３参照）に代わって本体部２内へ嵌合される大きさと厚さをなすように設定される。
その成形は、例えば、アルミダイキャストなどによって金属から製造される。但し樹脂で成形することは当然可能であるが、金属の方が材料を適切に選択すれば、剛性があってかつ軽量であり長期使用に耐えることができる。
【００５２】
この苔保持体４０を作るには、図７に示すように、苔ブロック４１を単に凹部４３内へ入れるだけで図８に示す状態となり、苔ブロック４１は確実に凹部４３内に固定される。しかも苔ブロック４１を底部４４の上で支持するだけで済むから、前実施例のような接着を不要にできる。また、この苔保持体４０をケース内へ収容するには、予め中敷きを外した本体部２内へ嵌合するだけでよく、後は前実施例同様に携帯等することができる。
【００５３】
なお、本願発明は上記の実施形態に限定されるものではなく、発明の原理内において種々に変形や応用が可能である。例えば、ケースはＣＤケースに限定されない。苔保持体２０を収納できる程度の厚さをなす、比較的薄型のものであれば、角形や円形等適宜形状の専用ケースを用いることができる。
【００５４】
また、苔保持体２０をＣＤ上へ直接設けることができる。この場合、基板２１をＣＤとすればよい。但し、苔保持体２０を設けたＣＤを通常のプレーヤーで利用することは規格上の不便があるので、ＣＤ側を固定し、読み取り機構側を移動させる専用プレーヤーを利用することが好ましい。
【図面の簡単な説明】
【図１】第１実施例に係るＣＤケースを分解して示す斜視図
【図２】ケース全体の斜視図
【図３】収納状態の要部拡大断面図
【図４】使用状態を示す斜視図
【図５】苔保持体の利用形態を示す図
【図６】苔保持体の取付構造拡大図
【図７】第２実施例に係る苔保持体を分解して示す斜視図
【図８】支持台の斜視図
【図９】支持台の断面図
【符号の説明】
１：ポータブル苔グッズ、２：本体部、３：ふた、８：スポイト、９：包装フィルム、１１：ＣＤ、１２：ＣＤ収容凹部、２０：苔保持体、２１：基板、２３：苔ブロック、２５：苔、４０：苔保持体、４１：苔ブロック、４２：支持台
【図１】
2004236601.tif 000003
【図２】
2004236601.tif 000004
【図３】
2004236601.tif 000005
【図４】
2004236601.tif 000006
【図５】
2004236601.tif 000007
【図６】
2004236601.tif 000008
【図７】
2004236601.tif 000009
【図８】
2004236601.tif 000010
【図９】
2004236601.tif 000011